(57)【要約】【課題】複数の仕向地に対して、共通の記憶媒体を用いながら、その記憶媒体に、各仕向地に応じた地図データだけを格納すること。【解決手段】まず、地図記憶媒体１０に、複数の仕向地に応じた地図データを格納する。従って、複数の仕向地向けのナビゲーション装置３０に対して、共通の地図記憶媒体１０を組み付けることができる。そして、地図記憶媒体１０がナビゲーション装置本体２０に組み付けられた後、ナビゲーション装置３０は、仕向地に関する情報を取得して、その仕向地に対応する地図データ以外の地図データを削除する。従って、地図記憶媒体１０には、他の仕向地用の不要な地図データが残ることはなく、地図記憶媒体１０の記憶領域を有効に活用することが可能となる。【選択図】図４
2010249542.tif 000002
【特許請求の範囲】
【請求項１】
車両用ナビゲーション装置に装備される地図記憶媒体に、当該車両用ナビゲーション装置が搭載される車両の仕向地に応じた地図データを格納する方法であって、
前記地図記憶媒体に、複数の仕向地に応じた地図データを格納する格納ステップと、
複数の仕向地に応じた地図データを格納した地図記憶媒体が装備された車両用ナビゲーション装置が、外部装置との通信により、適用される車両の仕向地に関する情報を取得する取得ステップと、
前記車両用ナビゲーション装置が、取得した仕向地に関する情報に基づいて、その仕向地に対応する地図データのみを残して、他の仕向地に対応する地図データを削除する削除ステップと、を備えることを特徴とする仕向地別地図データ格納方法。
【請求項２】
前記外部装置は、車両に搭載されている他の電子制御装置であって、前記車両用ナビゲーション装置は、前記車両に搭載された後、他の電子制御装置との通信時に、当該他の電子制御装置から車両の仕向地に関する情報を取得することを特徴とする請求項１に記載の仕向地別地図データ格納方法。
【請求項３】
前記取得ステップにおいて車両の仕向地に関する情報を取得した場合に、その情報が示す仕向地に応じた地図データが、前記地図記憶媒体に格納されていないと、前記削除ステップにおいて、前記地図記憶媒体に格納されている全ての地図データを削除し、その後、仕向地に応じた地図データをあらためて前記地図記憶媒体に格納する仕向地地図データ格納ステップを実行することを特徴とする請求項１又は請求項２に記載の仕向地別地図データ格納方法。
【請求項４】
前記車両用ナビゲーション装置は、外部の検査装置から、複数の仕向地に応じた地図データの中で一時的に有効にすべき地図データが指示されたとき、その指示された地図データを用いて、ナビゲーション動作を行うことを特徴とする請求項１乃至請求項３のいずれかに記載の仕向地別地図データ格納方法。
【請求項５】
前記車両用ナビゲーション装置は、前記外部の検査装置からの指示に応じて、一時的に有効化した地図データを変更可能であることを特徴とする請求項４に記載の仕向地別地図データ格納方法。
【請求項６】
前記車両用ナビゲーション装置は、前記外部の検査装置からの指示に応じて、地図データの有効化を終了可能であることを特徴とする請求項４又は請求項５に記載の仕向地別地図データ格納方法。
【請求項７】
前記車両用ナビゲーション装置は、前記外部の検査装置に対して、現在、有効化している地図データを示す情報と、有効化されていない地図データを示す情報とを出力することを特徴とする請求項４乃至６のいずれかに記載の仕向地別地図データ格納方法。
【発明の詳細な説明】
【技術分野】
【０００１】
本発明は、車両用ナビゲーション装置に装備される地図記憶媒体に、当該車両用ナビゲーション装置が搭載される車両の仕向地に応じた地図データを格納する仕向地別地図データ格納方法に関する。
【背景技術】
【０００２】
例えば特許文献１に示されるように、車両用ナビゲーション装置において、地図データ等を格納する記録媒体として、ハードディスクなどの書き換え可能な記録媒体が用いられる。
【先行技術文献】
【特許文献】
【０００３】
【特許文献１】特開２００４−２７２５３２号公報
【発明の概要】
【発明が解決しようとする課題】
【０００４】
近年、車両用ナビゲーション装置は、世界各地に普及しつつある。但し、車両が使用される地域は、通常、限定されているので、車両用ナビゲーション装置の記憶媒体は、各々の車両の仕向地（例えば、欧州、米国、南米、ロシア、中近東、東南アジア、日本など）をカバーする地図データのみを格納する。この場合、現状では、仕向地に応じた地図データを格納した記憶媒体を、仕向地分だけ別個に用意している。そして、記憶媒体には、格納地図データが異なるごとに、異なる品番を付与して管理している。
【０００５】
しかしながら、上述したように、車両用ナビゲーション装置は世界各地に普及しつつあるので、記憶媒体の品番数も増加する傾向にある。このように記憶媒体の品番数が増加すると、在庫管理、保管、及びナビゲーション装置本体への組付工程などにおける手間が増えるため、製造コストが上昇するとの問題が生じる。
【０００６】
本発明は、上述した点に鑑みてなされたものであり、複数の仕向地に対して、共通の記憶媒体を用いながら、その記憶媒体に、各仕向地に応じた地図データだけを格納することが可能な仕向地別地図データ格納方法を提供することを目的とする。
【課題を解決するための手段】
【０００７】
上記目的を達成するために、請求項１に記載の仕向地別地図データ格納方法は、
地図記憶媒体に、複数の仕向地に応じた地図データを格納する格納ステップと、
複数の仕向地に応じた地図データを格納した地図記憶媒体が装備された車両用ナビゲーション装置が、外部装置との通信により、適用される車両の仕向地に関する情報を取得する取得ステップと、
車両用ナビゲーション装置が、取得した仕向地に関する情報に基づいて、その仕向地に対応する地図データのみを残して、他の仕向地に対応する地図データを削除する削除ステップと、を備えることを特徴とする。
【０００８】
このように、地図記憶媒体には、まず、複数の仕向地に応じた地図データが格納される。従って、複数の仕向地向けの車両用ナビゲーション装置に対して、共通の地図記憶媒体を組み付けることができる。このため、請求項１に記載の発明により、地図記憶媒体の品番数を低減することが可能となる。
【０００９】
そして、地図記憶媒体が車両用ナビゲーション装置に組み付けられた後、車両用ナビゲーション装置は、仕向地に関する情報を取得して、その仕向地に対応する地図データ以外の地図データを削除する。従って、地図記憶媒体には、他の仕向地用の不要な地図データが残ることはなく、地図記憶媒体の記憶領域を有効に活用することが可能となる。
【００１０】
請求項２に記載したように、外部装置は、車両に搭載されている他の電子制御装置であって、車両用ナビゲーション装置は、車両に搭載された後、他の電子制御装置との通信時に、当該他の電子制御装置から車両の仕向地に関する情報を取得することが好ましい。例えば、車両に搭載された車両用ナビゲーション装置を含む各種の電子制御装置をローカルエリアネットワーク（ＬＡＮ）によって接続し、相互に通信可能とする。そして、車両の電源スイッチがオンされたときなどに、特定の電子制御装置から他の電子制御装置へ車両の仕向地を示す情報が送信されるように構成する。これにより、車両用ナビゲーション装置に対して仕向地に関する情報を与えるための専用の工程を実施せずとも、車両用ナビゲーション装置は、仕向地に関する情報を取得することが可能となる。
【００１１】
請求項３に記載したように、取得ステップにおいて車両の仕向地に関する情報を取得した場合に、その情報が示す仕向地に応じた地図データが、地図記憶媒体に格納されていないと、削除ステップにおいて、地図記憶媒体に格納されている全ての地図データを削除し、その後、仕向地に応じた地図データをあらためて地図記憶媒体に格納する仕向地地図データ格納ステップを実行することが好ましい。例えば、中国などのように、自国の地図データを自国以外の国で地図記憶媒体に格納することを認めていない国がある。この場合、車両用ナビゲーション装置が、中国に持ち込まれた後に中国国内で地図データを地図記憶媒体に書き込む必要がある。そして、上述したように、仕向地を示す情報から、その仕向地に応じた地図データが地図記憶媒体に格納されていない場合、すべての地図データを削除するようにすると、自国での地図の書込みしか認めていない国向けの車両用ナビゲーション装置にも共通の地図記憶媒体を適用することができる。
【００１２】
請求項４に記載したように、車両用ナビゲーション装置は、外部の検査装置から、複数の仕向地に応じた地図データの中で一時的に有効にすべき地図データが指示されたとき、その指示された地図データを用いて、ナビゲーション動作を行うことが望ましい。車両用ナビゲーション装置は、地図記憶媒体等の組み付けが完了した時点で、通常、問題なく動作するかを確かめるための動作確認が行なわれる。この動作確認では、例えば地図の縮尺やその変更、スクロール、デモ案内機能などが試される。これらの機能はいずれも地図データを使用する必要があるものである。従って、地図記憶媒体に複数の地図データが格納されている場合であっても、一の地図データを用いてナビゲーション動作を行うことが可能にすることにより、そのような動作確認を行なうことができる。
【００１３】
請求項５に記載したように、車両用ナビゲーション装置は、外部の検査装置からの指示に応じて、一時的に有効化した地図データを変更可能であることが好ましい。これにより、地図記憶媒体に格納されている複数の地図データを用いて、ナビゲーション装置の動作確認を行なうことが可能になる。
【００１４】
請求項６に記載したように、車両用ナビゲーション装置は、外部の検査装置からの指示に応じて、地図データの有効化を終了可能であることが好ましい。これにより、車両用ナビゲーション装置の状態を初期状態である出荷状態に戻すことができる。
【００１５】
請求項７に記載したように、車両用ナビゲーション装置は、外部の検査装置に対して、現在、有効化している地図データを示す情報と、有効化されていない地図データを示す情報とを出力することが好ましい。これにより、地図記憶媒体に記憶されている地図データの種類や、現在有効化されている地図データを確認することができる。
【図面の簡単な説明】
【００１６】
【図１】実施形態による、仕向地別地図データ格納方法の各工程を示す図である。
【図２】検査工程において、車両用ナビゲーション装置によって実行される、一時的に一の地図データを有効化するための制御処理を示すフローチャートである。
【図３】検査工程において、車両用ナビゲーション装置によって実行される、有効地図及び無効地図を示す情報を出力するための制御処置を示すフローチャートである。
【図４】地図決定工程において、車両用ナビゲーション装置によって実行される制御処理を示すフローチャートである。
【発明を実施するための形態】
【００１７】
以下、本発明の実施形態による仕向地別地図データ格納方法について、図面に基づいて説明する。図１は、仕向地別地図データ格納方法の各工程を示す工程図である
図１に示すように、本実施形態による仕向地別地図データ格納方法では、まず、地図記憶媒体１０であるハードディスクドライブ（ＨＤＤ）に複数の仕向地に応じた地図データを書き込んで格納する複数地図データ格納工程が実施される。
【００１８】
本実施形態では、地図記憶媒体１０として、ＨＤＤを用いる。しかし、複数の地図データを格納することが可能な記憶容量を備え、かつ後に不要となった地図データを削除することが可能であれば、ＨＤＤ以外の地図記憶媒体１０を用いても良い。
【００１９】
また、複数の仕向地に応じた地図データとして、例えば、欧州、米国、南米、ロシア、中近東、東南アジア、日本などのエリアをそれぞれカバーする地図データが該当する。この場合、地図記憶媒体１０の記憶容量に余裕があれば、すべての仕向地に応じた地図データを１つの地図記憶媒体１０に格納することが可能となる。ただし、地図記憶媒体１０の記憶容量に制限があり、すべての仕向地に応じた地図データを格納できない場合には、少なくとも２つ以上の仕向地に応じた地図データを地図記憶媒体１０に格納するようにしても良い。この場合でも、各々の仕向地に応じた地図データを個別に地図記憶媒体１０に格納するよりも、複数の仕向地向けに地図記憶媒体１０を共通化することができる分だけ、地図記憶媒体１０の品番数を減少させることができる。
【００２０】
複数地図データ格納工程により、地図記憶媒体１０に複数の仕向地に応じた地図データが格納されると、続いて、地図記憶媒体１０をナビゲーション装置本体２０に組み付ける組付工程が実施される。
【００２１】
ナビゲーション装置本体２０は、主に、マイクロコンピュータ、ディスプレィ及びＧＰＳ受信機などから構成され、マイクロコンピュータの内部には周知のＣＰＵ、ＲＯＭ、ＲＡＭ、Ｉ／Ｏ、及びこれらの構成を接続するバスラインが備えられている。ＲＯＭには、ナビゲーション装置３０が実行するためのプログラムが書き込まれており、このプログラムに従ってＣＰＵ等が所定の演算処理を実行する。これにより、ナビゲーション装置３０は、各種のナビゲーション動作を行うことができる。例えば、ナビゲーション装置３０は、ＧＰＳ受信機によって検出される車両の現在位置を道路地図とともに表示したり、その表示道路地図の縮尺を変更したりする。さらに、ナビゲーション装置は、表示した道路地図をユーザの指示に応じてスクロールさせたり、各種機能を説明するためのデモ案内なども行なう。
【００２２】
組付工程により、ナビゲーション装置本体２０に地図記憶媒体１０が組み付けられると、次に検査工程が実行される。この検査工程では、ナビゲーション装置３０に、検査装置を接続し、この検査装置から各種のコマンドをナビゲーション装置３０に与えることにより、ナビゲーション装置３０が適切に組み付けられたか、また動作に不具合等がないかを確認する。
【００２３】
なお、ナビゲーション装置３０に検査モードと通常動作モードの２種地の動作モードを設定しておき、検査工程では、ナビゲーション装置３０を検査モードにて動作させ、かつナビゲーション装置３０に設けられている各種スイッチを用いて、動作確認のためのコマンドを与えるようにしても良い。このようにすれば、検査装置を用いることなく検査工程を行なうことができる。
【００２４】
この検査工程では、ナビゲーション装置３０に対して、地図記憶媒体１０に格納されている複数の仕向地に応じた地図データの中で、一の地図データを有効化したり、無効化したりするためのコマンドと、現在、有効化している地図データ及び無効化されている地図データを示す情報を出力させるためのコマンドとが与えられる。
【００２５】
まず、ナビゲーション装置３０に対して、一の地図データを有効化したり、無効化したりするためのコマンドが与えられたときのナビゲーション装置３０の制御処理について、図２のフローチャートに基づいて説明する。
【００２６】
図２において、まずステップＳ１１０では、複数の仕向地に応じた地図データの中で、一の地図データを有効化するための有効化コマンド、又は有効化されている地図データを無効化するための無効化コマンドを受信したか否かを判定する。
【００２７】
なお、有効化コマンドには、有効化すべき地図データを示す情報が含まれる。また、ある地図データが有効化されている状態で、他の地図データを有効化するための有効化コマンドが受信されると、有効化されている地図データを他の地図データに変更するための変更コマンドとしての意味を持つ。
【００２８】
ステップＳ１１０において、有効化コマンド又は無効化コマンドが受信されたと判断されたとき、ステップＳ１２０の処理が実行される。ステップＳ１２０では、地図決定可否フラグを取得する。
【００２９】
この地図決定可否フラグは、図示しないフラグ設定処理により、ナビゲーション装置３０が搭載される車両の仕向地が決まったときにオンされ、そのときまでオフされたままとなっているフラグである。本実施形態では、ナビゲーション装置３０が、仕向地に関する情報を取得したときに、地図決定可否フラグをオンするようにしている。従って、検査工程において、有効化コマンド又は無効かコマンドを受信した時点では、ナビゲーション装置３０は、まだ仕向地に関する情報を取得しておらず、地図決定可否フラグはオフされたままとなっている。
【００３０】
なお、本実施形態では、ナビゲーション装置３０が、車両に搭載された後、他の電子制御装置との通信時に、当該他の電子制御装置から車両の仕向地に関する情報を取得するように構成されている。
【００３１】
具体的には、車両に搭載される各種の電子制御装置の内、特定の電子制御装置に、車両の仕向地を示す仕向地情報や、車両のメーカーやブランドを示す情報を記憶させておく。また、ナビゲーション装置を含む各種の電子制御装置をローカルエリアネットワーク（ＬＡＮ）によって接続し、相互に通信可能とする。そして、車両の電源スイッチがオンされたときなどに、上述した特定の電子制御装置から他の電子制御装置へ車両の仕向地を示す情報などが送信されるように構成する。ナビゲーション装置では、車両の仕向地を示す情報、車両のメーカーやブランドを示す情報を受信すると、仕向地が決定されたものとみなして、地図決定可否フラグをオンする。
【００３２】
このようにして、本実施形態では、ナビゲーション装置３０に対して仕向地に関する情報を与えるための専用の工程を実施せずに、ナビゲーション装置３０が、仕向地に関する情報を取得することができるようにしている。
【００３３】
続くステップＳ１３０では、地図決定可否フラグがオフされているか否かを判定する。この判定処理において、地図決定可否フラグはオフされていると判定されると、ステップＳ１４０の処理に進み、オンされていると判定されると、図２のフローチャートに示す処理を終了する。
【００３４】
ステップＳ１４０では、後述する地図決定処理により、既に地図記憶媒体１０に格納する地図データが決定されているか否かを判定する。地図データが決定されている場合には、一の地図を有効化したり、無効化したりすることはできないため、図２のフローチャートに示す処理を終了する。一方、地図データが決定されていない場合には、ステップＳ１５０の処理に進む。
【００３５】
ステップＳ１５０では、受信したコマンドの種類が、有効化コマンドであるか無効化コマンドであるかを判定する。有効化コマンドであれば、ステップＳ１６０の処理に進み、無効化コマンドであれば、ステップＳ１８０の処理に進む。
【００３６】
ステップＳ１６０では、有効化コマンドに含まれている有効化すべき地図データを示す情報に基づいて、その地図データを一時的に有効化する。例えば、複数の仕向地に応じた地図データは、仕向地を含むフォルダ名が付与された各々のフォルダに保存され、有効化すべき地図データを示す情報は、仕向地もしくはフォルダ名を示すものとすることができる。そして、ナビゲーション装置は、仕向地もしくはフォルダ名により示された該当フォルダに保存された地図データを参照することで、指定された地図データが有効される。そして、ステップＳ１７０では、有効化すべき地図データを示す情報を、メモリの所定エリアに保存することにより、有効化する地図データを記憶しておく。
【００３７】
一方、ステップＳ１５０において、受信したコマンドの種類が無効化コマンドであると判定された場合に実行されるステップＳ１８０では、メモリの所定エリアに保存した有効化すべき地図データを示す情報を消去することにより、一時的に有効化された地図データを無効化する。
【００３８】
そして、ステップＳ１９０には、検査装置に対して、実行した処理結果を出力して、図２のフローチャートに示す処理を終了する。
【００３９】
このように、本実施形態では、検査装置から、複数の仕向地に応じた地図データの中で一時的に有効にすべき地図データが指示されたとき、ナビゲーション装置３０は、指示された地図データを参照するようにしている。これにより、ナビゲーション装置３０は、その参照する地図データを用いて、上述した各種のナビゲーション動作を行うことが可能になる。このため、ナビゲーション装置３０において、地図の縮尺の変更、スクロール、デモ案内機能などが適切に動作するか、また、地図記憶媒体１０などの部品が適切に組み付けられているかなどを確認することが可能になる。
【００４０】
また、ナビゲーション装置３０は、すでに一の地図データが有効化されているときに、検査装置から、他の地図データを有効化するための有効化コマンドを受信すると、一時的に有効化した地図データを変更することができる、これにより、地図記憶媒体１０に格納されている複数の地図データの中で、一つのみの地図データだけでなく、任意の複数の地図データを用いて、ナビゲーション装置３０の動作確認を行なうことができる。
【００４１】
さらに、ナビゲーション装置３０は、検査装置から、有効化した地図データを無効化するための無効化コマンドを受信すると、一時的に有効化された地図データを無効化する。これにより、これにより、ナビゲーション装置３０の状態を初期状態（出荷状態）に戻すことができる。
【００４２】
次に、ナビゲーション装置３０に対して、現在、有効化している地図データ及び無効化されている地図データを示す情報を出力させるためのコマンドが与えられたときのナビゲーション装置３０の制御処理について、図３のフローチャートに基づいて説明する。
【００４３】
まず、ステップＳ２１０では、現在、有効化している地図データ及び無効化されている地図データを示す情報を出力させるための地図情報出力コマンドが受信されたか否かを判定する。この判定処理において、地図情報出力コマンドを受信したと判定した場合、ステップＳ２２０の処理に進む。
【００４４】
ステップＳ２２０では、後述する地図決定処理により、既に地図記憶媒体１０に格納する地図データが決定されているか否かを判定する。地図データが決定されていない場合には、ステップＳ２３０の処理に進み、地図データが決定されている場合には、ステップＳ２５０に進む。
【００４５】
ステップＳ２３０では、記憶されている有効化地図データを示す情報を取得する。そして、ステップＳ２４０では、有効化されている地図データ以外の、すなわち無効化されたままとなっている地図データを示す情報を取得する。これらの情報は、上述したように、仕向地やフォルダ名などを用いることができる。
【００４６】
一方、ステップＳ２５０では、決定されている地図データを示す情報を取得する。ここで、地図データが決定された時点で、そのフォルダ名は、仕向地を含まず、単に地図データを保存していることを示すフォルダ名に変更される。そして、そのフォルダ内に、仕向地を示す情報が保存される。従って、ステップＳ２５０では、そのフォルダ内から、地図データを示す情報を取得する。また、地図データが決定されると、後述するように、残りの地図データは不要となるため、それら不要な地図データは削除される。従って、無効化されている地図データは存在しない。
【００４７】
ステップＳ２６０では、検査装置に対して、現在、有効化又は無効化されている地図データを示す情報、もしくは決定済みの地図データを示す情報を出力して、図３のフローチャートに示す処理を終了する。
【００４８】
このように、本実施形態のナビゲーション装置３０は、検査装置から地図情報出力コマンドを受信したときに、現在、有効化及び無効化している地図データを示す情報出力するので、地図記憶媒体１０に記憶されている地図データの種類や、現在有効化されている地図データを確認することができる。さらに、地図データが既に決定されている場合には、その決定地図データを示す情報が出力されるので、地図データが既に決定されていることや、決定されている地図データの種類を確認することができる。
【００４９】
このような検査工程が終了すると、次に、ナビゲーション装置３０を車両に搭載する搭載工程が実行される。この搭載工程では、上述したように、ナビゲーション装置３０が、車両に搭載された他の電子制御装置とＬＡＮ接続され、相互に通信可能に構成される。
【００５０】
その後、地図決定工程が実行される。この地図決定工程時に、ナビゲーション装置３０にて実行される制御処理について、図４のフローチャートに基づいて説明する。
【００５１】
まずステップＳ３１０では、ＬＡＮを介して、他の電子制御装置から仕向地に関する情報を受信したか否かを判定する。このとき、仕向地に関する情報を取得したと判定されると、ステップＳ３２０の処理に進む。
【００５２】
ステップＳ３２０では、地図決定可否フラグを取得する。そして、ステップＳ３３０では、取得した地図決定可否フラグがオンされているか否かを判定する。上述したように、ナビゲーション装置３０は、他の電子制御装置から、車両の仕向地を示す情報や、車両のメーカーやブランドを示す情報を受信すると、地図決定可否フラグをオンする。従って、地図決定可否フラグがオンである場合、車両の仕向地が決まり、地図記憶媒体１０に格納されている複数の仕向地に応じた地図データの中から、一の地図データを決定する準備が整ったとみなすことができる。そのため、ステップＳ３３０にて、地図決定可否フラグがオンされていると判定されると、ステップＳ３４０の処理に進み、オフされていると判定されると、図４のフローチャートの処理を終了する。
【００５３】
ステップＳ３４０では、既に地図記憶媒体１０に格納する地図データが決定されているか否かを判定する。地図データが決定されている場合には、再度、地図データを決定する必要はないので、図４のフローチャートに示す処理を終了する。一方、地図データが決定されていない場合には、ステップＳ３５０の処理に進む。
【００５４】
ステップＳ３５０では、受信した仕向地に関する情報に基づいて、その仕向地に対応する地図データのフォルダ名を、仕向地を含まず、単に地図データを保存していることを示すフォルダ名に変更する。これにより、地図記憶媒体１０に残す唯一つの地図データが決定される。なお、上述したように、フォルダ名が変更されるときには、そのフォルダ内に、仕向地を示す情報が保存される。
【００５５】
続く、ステップＳ３６０では、決定した地図データ以外の地図データを削除する処理を行なう。この削除処理は、ナビゲーション装置３０において、低優先度にて、バックグラウンド処理される。これにより、地図データの削除が行なわれている間も、ナビゲーション装置３０を動作させて、ナビゲーション装置３０自身の動作確認や他の電子制御装置との通信の確認等を行なうことができる。
【００５６】
なお、ナビゲーション装置３０が、他の電子制御装置から仕向地に関する情報を受信した場合に、その情報が示す仕向地に応じた地図データが、地図記憶媒体１０に格納されていないならば、ナビゲーション装置３０は、地図記憶媒体１０に格納されている全ての地図データを削除する。この場合、ナビゲーション装置３０の地図記憶媒体１０には、あらためて仕向地に応じた地図データが書込まれて格納される。
【００５７】
例えば、中国などのように、自国の地図データを自国以外の国で地図記憶媒体１０に格納することを認めていない国がある。この場合、ナビゲーション装置３０を搭載した車両が、中国に持ち込まれた後に中国国内で地図データを地図記憶媒体１０に書き込む必要がある。
【００５８】
上述したように、仕向地を示す情報から、その仕向地に応じた地図データが地図記憶媒体１０に格納されていない場合、すべての地図データを削除するようにすると、自国での地図の書込みしか認めていない国向けのナビゲーション装置３０にも共通の記憶媒体を適用することが可能になる。
【００５９】
以上、本発明の好ましい実施形態について説明したが、本発明は、上述した実施形態になんら制限されることなく、本発明の主旨を逸脱しない範囲において、種々変形して実施することができる。
【００６０】
例えば、上述した実施形態では、ナビゲーション装置３０が、車両に搭載された後、他の電子制御装置との通信時に、当該他の電子制御装置から車両の仕向地に関する情報を取得するように構成された。しかしながら、ナビゲーション装置３０が搭載される車両の仕向地が決まった時点で、例えば専用の装置をナビゲーション装置３０に接続し、地図決定コマンドとともに、その仕向地情報をナビゲーション装置３０に与えるようにすることも可能である。
【符号の説明】
【００６１】
１０  ＨＤＤ
２０  ナビ本体
３０  ナビゲーション装置
【図１】
2010249542.tif 000003
【図２】
2010249542.tif 000004
【図３】
2010249542.tif 000005
【図４】
2010249542.tif 000006